(57)【要約】【課題】商品の冷却を効率的に行うことにより、商品の冷却に伴う消費エネルギーの低減化を図ることができる自動販売機を提供すること。【解決手段】商品収容庫の内部空気を冷却する蒸発器（６）、これに冷却された空気を商品収容庫の内部で循環させる庫内ファンＦを備えた自動販売機において、商品収納ラックに収納された最下位及び最上位にある商品の近傍の温度を検知する下部サーミスタ２６及び上部サーミスタ２７と、下部サーミスタ２６の検知温度が第１基準温度範囲の上限値を超える場合には蒸発器による冷却量を増大させる一方、検知温度が上記範囲の下限値未満となる場合には蒸発器による冷却量を低減させ、上部サーミスタ２７の検知温度が第２基準温度範囲の上限値を超える場合には庫内ファンＦにより庫内全体を空気循環させる一方、検知温度が上記範囲の下限値未満となる場合には庫内ファンＦにより庫内下部を空気循環させる制御手段とを備えている。【選択図】        図４
2010020395.tif 000002
【特許請求の範囲】
【請求項１】
自動販売機本体の内部に画成された断熱構造を有する商品収容庫と、
前記商品収容庫の内部に配設され、かつ商品を上下方向に沿って収納するとともに、払出指令が与えられた場合に最下位にある商品を払い出す商品収納装置と、
前記商品収容庫に配設され、かつ該商品収容庫の内部雰囲気を冷却する冷却器と、
前記冷却器により冷却された内部雰囲気を前記商品収容庫の内部で循環させる循環手段と
を備えた自動販売機において、
前記商品収納装置に収納された最下位にある商品の近傍の温度を検知する第１温度検知手段と、
前記商品収納装置に収納された最上位にある商品の近傍の温度を検知する第２温度検知手段と、
前記第１温度検知手段により検知された第１検知温度が予め決められた第１基準温度範囲の上限値を超える場合には前記冷却器による冷却量を増大させる一方、前記第１検知温度が前記第１基準温度範囲の下限値未満となる場合には前記冷却器による冷却量を低減させる冷却制御と、前記第２温度検知手段により検知された第２検知温度が、予め決められ、かつ前記第１基準温度範囲よりも高い温度範囲となる第２基準温度範囲の上限値を超える場合には前記循環手段による循環量を増大させる一方、前記第２検知温度が前記第２基準温度範囲の下限値未満となる場合には前記循環手段による循環量を減少させる循環制御とを行う制御手段と
を備えたことを特徴とする自動販売機。
【請求項２】
前記循環手段は、前記冷却器により冷却された内部雰囲気を送風して循環させるものであり、
前記制御手段は、前記第２温度検知手段により検知された第２検知温度が前記第２基準温度範囲の上限値を超える場合には前記循環手段による内部雰囲気の送風量を増加させて循環量を増大させる一方、前記第２検知温度が前記第２基準温度範囲の下限値未満となる場合には前記循環手段による内部雰囲気の送風量を低減させて循環量を減少させる循環制御を行うことを特徴とする請求項１に記載の自動販売機。
【請求項３】
前記第２温度検知手段は、前記商品収容庫の上部に配設し、かつ前記第１温度検知手段は、前記商品収容庫の下部に配設したことを特徴とする請求項１または請求項２に記載の自動販売機。
【請求項４】
前記冷却器は、前記自動販売機本体の内部であって前記商品収容庫の外部に配設された冷凍機と冷媒を循環させる冷凍サイクルを構成し、かつ通過する冷媒を蒸発させることにより前記商品収容庫の内部雰囲気を冷却するものであり、
前記制御手段は、前記第１検知温度が前記第１基準温度範囲の上限値を超える場合には前記冷凍機を駆動させて前記冷却器による冷却量を増大させる一方、前記第１検知温度が前記第１基準温度範囲の下限値未満となる場合には前記冷凍機を駆動停止にして前記冷却器による冷却量を低減させる冷却制御を行うことを特徴とする請求項１〜３のいずれか一つに記載の自動販売機。
【発明の詳細な説明】
【技術分野】
【０００１】
本発明は、例えば紙パック入り飲料等の商品を収納して販売する自動販売機の改良に関するものである。
【背景技術】
【０００２】
従来、例えば紙パック入り飲料等の商品を収納して販売する自動販売機として、商品収容庫と、商品収納棚と、冷却器と、ファンと、温度センサと、品温センサとを備えて構成されたものが知られている。
【０００３】
商品収容庫は、自動販売機本体である本体キャビネットの内部に画成された断熱構造を有するものである。商品収納棚は、商品収容庫の内部に配設され、かつ上下方向に沿って商品を収納するものである。この商品収納棚では、最下位に収納された商品が次の販売機会時に搬出される可能性がある商品とされている。冷却器は、商品収容庫に配設され、かつ該商品収容庫の内部雰囲気を冷却するものである。この冷却器は、本体キャビネットの内部であって商品収容庫の外部となる室に配設された冷凍機と冷媒を循環させる冷凍サイクルを構成し、通過する冷媒を蒸発させることにより商品収容庫の内部雰囲気を冷却するものである。ファンは、商品収容庫に配設され、冷却器により冷却された内部雰囲気を送風するものである。温度センサは、冷却器に取り付けられ、冷却器で冷却された内部雰囲気の温度（冷風温度）を検出するものである。品温センサは、商品収納棚から払い出された商品の排出口近傍に配設され、該排出口を通過する商品の温度を検出するものである。
【０００４】
このような自動販売機においては、品温センサにより検出された商品の温度と、温度センサにより検出された冷風温度との温度差が所定範囲内となるように冷凍機を駆動、あるいは駆動停止させて商品を適温に維持している（例えば、特許文献１参照）。
【０００５】
【特許文献１】特開平１０−１８８１１２号公報
【発明の開示】
【発明が解決しようとする課題】
【０００６】
ところが、上述したような自動販売機では、品温センサにより検出された商品温度と、温度センサにより検出された冷風温度との温度差が所定範囲内となるように冷凍機の駆動を制御していたために、次の販売機会時に搬出される可能性のある商品以外の商品、すなわち商品収納棚に収納された最上位の商品を含む上方側の商品も最下位の商品と同様の温度レベルまで冷却されてしまう虞れがあった。
【０００７】
このことについてより詳しく述べると、商品収納棚に収納された商品のうち最下位にある商品は、次の販売機会時に搬出される可能性がある商品のために適温に維持されることが好ましいが、例えば最上位にある商品はすぐに搬出される可能性が低く、品質を低下させない程度に冷却されていれば、必ずしも適温にまで冷却されている必要はない。しかしながら、上述した自動販売機のように品温センサにより検出された温度と、温度センサにより検出された温度との温度差が所定範囲内となるように冷凍機の駆動を制御しているだけでは、商品収納棚に収納された商品のうち上方側にある商品も最下位にある商品と同様の温度レベルにまで冷却される虞れがあった。このようにすぐに搬出される可能性の少ない商品まで次の販売機会時に搬出される可能性のある商品と同じ温度レベルまで冷却してしまうことは、運転効率が十分に高いものとはいえず、商品の冷却に伴う消費エネルギーの増大化を招来する虞れがあった。
【０００８】
本発明は、上記実情に鑑みて、商品の冷却を効率的に行うことにより、商品の冷却に伴う消費エネルギーの低減化を図ることができる自動販売機を提供することを目的とする。
【課題を解決するための手段】
【０００９】
上記目的を達成するために、本発明の請求項１に係る自動販売機は、自動販売機本体の内部に画成された断熱構造を有する商品収容庫と、前記商品収容庫の内部に配設され、かつ商品を上下方向に沿って収納するとともに、払出指令が与えられた場合に最下位にある商品を払い出す商品収納装置と、前記商品収容庫に配設され、かつ該商品収容庫の内部雰囲気を冷却する冷却器と、前記冷却器により冷却された内部雰囲気を前記商品収容庫の内部で循環させる循環手段とを備えた自動販売機において、前記商品収納装置に収納された最下位にある商品の近傍の温度を検知する第１温度検知手段と、前記商品収納装置に収納された最上位にある商品の近傍の温度を検知する第２温度検知手段と、前記第１温度検知手段により検知された第１検知温度が予め決められた第１基準温度範囲の上限値を超える場合には前記冷却器による冷却量を増大させる一方、前記第１検知温度が前記第１基準温度範囲の下限値未満となる場合には前記冷却器による冷却量を低減させる冷却制御と、前記第２温度検知手段により検知された第２検知温度が、予め決められ、かつ前記第１基準温度範囲よりも高い温度範囲となる第２基準温度範囲の上限値を超える場合には前記循環手段による循環量を増大させる一方、前記第２検知温度が前記第２基準温度範囲の下限値未満となる場合には前記循環手段による循環量を減少させる循環制御とを行う制御手段とを備えたことを特徴とする。
【００１０】
また、本発明の請求項２に係る自動販売機は、上述した請求項１において、前記循環手段は、前記冷却器により冷却された内部雰囲気を送風して循環させるものであり、前記制御手段は、前記第２温度検知手段により検知された第２検知温度が前記第２基準温度範囲の上限値を超える場合には前記循環手段による内部雰囲気の送風量を増加させて循環量を増大させる一方、前記第２検知温度が前記第２基準温度範囲の下限値未満となる場合には前記循環手段による内部雰囲気の送風量を低減させて循環量を減少させる循環制御を行うことを特徴とする。
【００１１】
また、本発明の請求項３に係る自動販売機は、上述した請求項１または請求項２において、前記第２温度検知手段は、前記商品収容庫の上部に配設し、かつ前記第１温度検知手段は、前記商品収容庫の下部に配設したことを特徴とする。
【００１２】
また、本発明の請求項４に係る自動販売機は、上述した請求項１〜３のいずれか一つにおいて、前記冷却器は、前記自動販売機本体の内部であって前記商品収容庫の外部に配設された冷凍機と冷媒を循環させる冷凍サイクルを構成し、かつ通過する冷媒を蒸発させることにより前記商品収容庫の内部雰囲気を冷却するものであり、前記制御手段は、前記第１検知温度が前記第１基準温度範囲の上限値を超える場合には前記冷凍機を駆動させて前記冷却器による冷却量を増大させる一方、前記第１検知温度が前記第１基準温度範囲の下限値未満となる場合には前記冷凍機を駆動停止にして前記冷却器による冷却量を低減させる冷却制御を行うことを特徴とする。
【発明の効果】
【００１３】
本発明によれば、制御手段が、第１温度検知手段により検知された第１検知温度が予め決められた第１基準温度範囲の上限値を超える場合には冷却器による冷却量を増大させる一方、第１検知温度が第１基準温度範囲の下限値未満となる場合には冷却器による冷却量を低減させる冷却制御と、第２温度検知手段により検知された第２検知温度が、予め決められ、かつ第１基準温度範囲よりも高い温度範囲となる第２基準温度範囲の上限値を超える場合には循環手段による循環量を増大させる一方、第２検知温度が第２基準温度範囲の下限値未満となる場合には前記循環手段による循環量を減少させる循環制御とを行うので、次の販売機会時に払い出される可能性のある商品（最下位の商品）を販売時に最適とされる状態に冷却しながら、最上位の商品を品質が低下しない程度に冷却することが可能になる。したがって、商品の冷却を効率的に行うことにより、商品の冷却に伴う消費エネルギーの低減化を図ることができるという効果を奏する。
【発明を実施するための最良の形態】
【００１４】
以下に添付図面を参照して、本発明に係る自動販売機の好適な実施の形態について詳細に説明する。
【００１５】
図１は、本発明の実施の形態である自動販売機の内部構造を模式的に示す断面側面図である。ここで例示する自動販売機は、例えば紙パック入り飲料等の商品を販売するもので、本体キャビネット１および外扉２を備えている。
【００１６】
本体キャビネット１は、前面が開口した直方状の形態を成し、複数の鋼板を適宜組み合わせることによって形成したものである。外扉２は、本体キャビネット１の前面開口部を覆うのに十分な大きさを有したもので、鋼材により堅牢に形成してある。この外扉２は、本体キャビネット１の前面開口部を開閉可能にする態様で該本体キャビネット１の一側縁部に支承してある。また、図には明示していないが、外扉２には、その前面側に商品見本を展示する展示室と、商品を選択するための商品選択ボタンと、硬貨を投入するための硬貨投入口と、紙幣を挿入するための紙幣挿入口と、商品を取り出すための商品取出口と、硬貨を返却するための硬貨返却口とが設けてある一方、その背面側に自動販売機の動作を制御するための制御基板と、硬貨投入口から受け入れた硬貨の金銭処理を行う硬貨処理装置と、紙幣挿入口から受け入れた紙幣の金銭処理を行う紙幣処理装置とが設けてある。
【００１７】
上記本体キャビネット１の内部には、断熱構造の商品収容庫３が設けてある。より詳細には、本体キャビネット１の内部は、断熱底壁１ａにより上下に区画されており、下方側に機械室４が設けてある一方、上方側に商品収容庫３が設けてある。
【００１８】
商品収容庫３は、例えば紙パック入り飲料等の商品を所望の温度状態に維持して収容するためのものであり、本体キャビネット１と同様に前面が開口してあり、断熱扉体である内扉（図示せず）により開閉可能となっている。
【００１９】
この商品収容庫３の下部には、商品シュータ５が設けてある。商品シュータ５は、後方側（奥方側）から前方側（手前側）に向けて漸次下方に傾斜する態様で形成してあり、後述する商品収納ラック２０から払い出された商品を転動させて商品取出口に導くためのものである。この商品シュータ５の下方域には、蒸発器（冷却器）６、ヒータＨおよび庫内ファンＦが設けてある。
【００２０】
蒸発器６は、機械室４に配設された冷凍機である圧縮機７、凝縮器８および膨張機構９等と冷媒配管１０を通じて接続されて、封入された冷媒を循環させる冷凍サイクルを構成し、周囲を通過する空気、すなわち商品収容庫３の内部空気（内部雰囲気）を冷却するためのものである。ヒータＨは、通電状態にある場合に、周囲空気、すなわち商品収容庫３の内部空気を加熱するためのものである。
【００２１】
庫内ファンＦは、蒸発器６により冷却された内部空気を送風して商品収容庫３の内部で循環させる循環手段である。
【００２２】
このように商品収容庫３は、内部空気を冷却することにより収容する商品を所望の冷却温度に冷却して維持するものである。尚、図示の例では、本体キャビネット１の内部に商品収容庫３が一つ設けたものであるが、本発明においては、商品収容庫３が本体キャビネット１の内部に複数設けてあっても良い。商品収容庫３が本体キャビネット１の内部に複数（少なくとも２つ）設けてある場合には、その内部に収容した商品を冷却、あるいは加熱した状態でそれぞれ収容できる。
【００２３】
そのような商品収容庫３の上壁下面にはスライド手段１１が設けてある。スライド手段１１は、商品収容庫３の上壁下面に固定した固定レール部１１ａと、この固定レール部１１ａに対してスライド可能に支承された中間レール部１１ｂおよび可動レール部１１ｃとを備えて構成したものである。
【００２４】
固定レール部１１ａは、商品収容庫３の左右方向に沿って複数設けてあり、それぞれ前後方向に沿う態様で延在している。可動レール部１１ｃは、図２に示すように、それぞれ中間レール部１１ｂを介して固定レール部１１ａの前方に向けてスライド移動することが可能であり、個々の下面に商品収納ラック（商品収納装置）２０が配設してある。
【００２５】
商品収納ラック２０は、図３に示すように、商品を上下方向に沿って積み重なる態様で収納する商品収納通路２１を画成しており、下部には払出機構２２が設けてある。払出機構２２は、いわゆるベンドメックと称されるものであり、商品収納通路２１に対して進退移動可能となる態様で揺動可能に配設したペダル２２ａおよび補助ペダル（図示せず）を備えている。
【００２６】
ペダル２２ａは、通常状態において商品収納通路２１に向けて進出した状態で保持され、商品に当接することによってその通過を阻止する一方、商品の払出指令が与えられた場合に商品収納通路２１から退避する態様で下方に揺動することによって商品の通過を許容するものである。
【００２７】
図示していない補助ペダルは、ペダル２２ａが下方に揺動するに先だって商品収納通路２１に進出する態様で突出し、最下位から２番目に位置する商品の下方に当接することによりそれ以上に位置する商品の落下を阻止するものである。
【００２８】
つまり、商品収納ラック２０は、払出指令が与えられた場合に、ペダル２２ａおよび補助ペダルの駆動により、その上方域に収納された商品、すなわち商品収納通路２１に積み重なる態様で収納された商品のうち、最下位にある商品を下方に払い出すものである。払い出された商品は、商品シュータ５を通じて商品取出口まで搬送されることになる。
【００２９】
このような商品収納ラック２０の例えば中間位の高さレベルには、前面、後面および一側面に係合孔２３が形成してある。そして、任意の商品収納ラック２０には、係合孔２３に係止片２４ａが進入する態様で商品棚２４が着脱自在に配設してある。
【００３０】
商品棚２４は、例えば鋼板等を加工して形成された平板部材であり、商品収納ラック２０の前面、後面および一側面に対向する縁部にそれぞれ係止片２４ａが形成してある。これら係止片２４ａが対応する係合孔２３に進入する結果、商品棚２４は商品収納ラック２０に装着される。商品収納ラック２０に装着された商品棚２４は、商品収納通路２１を上下に区画し、その上方域に商品を積み重ねて収納するための空間２５を画成するものである。
【００３１】
図４は、上記自動販売機の特徴的な制御系を示すブロック図である。かかる図４を用いながら上記自動販売機についてさらに説明する。この図４に示すように、上記自動販売機は、下部サーミスタ（第１温度検知手段）２６、上部サーミスタ（第２温度検知手段）２７および制御ユニット（制御手段）３０を備えている。
【００３２】
下部サーミスタ２６は、図１に示すように、商品収容庫３の下部に配設してあり、商品収納通路２１に収納された商品のうち最下位にある商品の近傍の温度を検知する検知手段である。
【００３３】
上部サーミスタ２７は、図１に示すように、商品収容庫３の上部に配設してあり、商品収納通路２１に収納された商品のうち最上位にある商品の近傍の温度を検知する検知手段である。
【００３４】
制御ユニット３０は、上部サーミスタ２７および下部サーミスタ２６の検知結果に応じて、圧縮機７および庫内ファンＦの駆動を制御するものである。尚、本実施の形態では、制御ユニット３０として独立して例示しているが、制御ユニット３０は、自動販売機の動作を統括的に制御する制御ボックスに組み込まれているものであっても構わないし、制御ボックスとは別個に設けたものであっても構わない。
【００３５】
このような制御ボックスは、冷却制御部３１と循環制御部３２とを備えている。冷却制御部３１は、所定のプログラムにしたがって圧縮機７の駆動を制御する冷却制御を行うものであり、入力処理部３１１、比較部３１２および圧縮機駆動処理部３１３を備えている。
【００３６】
入力処理部３１１は、下部サーミスタ２６で検知された下部温度（第１検知温度）を入力処理するものである。
【００３７】
比較部３１２は、冷却制御用メモリ３１ａに予め記憶されている第１基準温度情報を読み出して第１基準温度情報に含まれる第１基準温度範囲と、入力処理部３１１を通じて入力処理された下部温度とを比較するものである。ここで、第１基準温度範囲は、蒸発器（冷却器）６の冷却量を所望の範囲に調整するために予め決められたものであり、第１基準温度情報として冷却制御用メモリ３１ａに記憶されている。より詳細に述べると、この第１基準温度範囲は、次の販売機会の際に払い出される可能性のある商品、すなわち最下位にある商品を販売時に求められる温度状態（適温状態）にするために決められたものである。
【００３８】
圧縮機駆動処理部３１３は、比較部３１２を通じての比較結果に応じて圧縮機７の駆動処理を行うものである。具体的には、圧縮機７をオン・オフ制御、すなわち圧縮機７を駆動させたり、駆動停止させたりするものである。
【００３９】
循環制御部３２は、所定のプログラムにしたがって庫内ファンＦの駆動を制御する循環制御を行うものであり、入力処理部３２１、比較部３２２および庫内ファン駆動処理部３２３を備えている。
【００４０】
入力処理部３２１は、上部サーミスタ２７で検知された上部温度（第２検知温度）を入力処理するものである。
【００４１】
比較部３２２は、循環制御用メモリ３２ａに予め記憶されている第２基準温度情報を読み出して第２基準温度情報に含まれる第２基準温度範囲と、入力処理部３２１を通じて入力処理された上部温度とを比較するものである。ここで、第２基準温度範囲は、庫内ファンＦの送風量を調整して商品収容庫３の内部空気の循環量を所望の範囲に調整するために予め決められたものであり、第２基準温度情報として循環制御用メモリ３２ａに記憶されている。また、第２基準温度範囲は、第１基準温度範囲よりも全体的に高いものとされており、より詳細には、次の販売機会の際に払い出される可能性の低い商品、すなわち最上位の商品等を適温状態にまで冷却しなくても品質が低下しない程度に冷却するために決められたものである。
【００４２】
庫内ファン駆動処理部３２３は、比較部３２２を通じての比較結果に応じて庫内ファンＦの駆動処理を行うものである。具体的には、庫内ファンＦの回転数を増大させたり、低減させたりするものである。庫内ファンＦの回転数を増大させると、図１中の矢印Ａに示すように内部空気は庫内全体を循環することになり、庫内ファンＦの回転数を低減させると、図１中の矢印Ｂに示すように内部空気は庫内下部を循環することになる。
【００４３】
図５および図６は、制御ユニットが実施する冷却制御および循環制御の処理内容を示すフローチャートである。これら冷却制御および循環制御は、予め設定されたタイムスケジュールにしたがって個別に行われるものである。これらの図を参照しながら各処理内容を説明することにより、自動販売機の動作を説明する。
【００４４】
図５に示す冷却制御において制御ユニット３０の冷却制御部３１は、圧縮機７が駆動している場合（ステップＳ１０１：Ｙｅｓ）には次のような処理を行う。すなわち、入力処理部３１１を通じて下部サーミスタ２６より検知された下部温度を入力した場合（ステップＳ１０２：Ｙｅｓ）、冷却制御部３１は、比較部３１２を通じて冷却制御用メモリ３１ａから第１基準温度情報を読み出し（ステップＳ１０３）、ステップＳ１０２で入力した下部温度が第１基準温度範囲の下限値を下回っているか否かを比較する（ステップＳ１０４）。
【００４５】
下部温度が第１基準温度範囲の下限値を下回っている場合（ステップＳ１０４：Ｙｅｓ）、冷却制御部３１は、圧縮機駆動処理部３１３を通じて圧縮機７を駆動停止させ（ステップＳ１０５）、手順をリターンして今回の処理を終了する。
【００４６】
これによれば、蒸発器６による商品収容庫３の内部空気の冷却量が低減し、商品収容庫３の内部空気の温度が徐々に上昇する方向に推移することになる。
【００４７】
下部温度が第１基準温度範囲の下限値を下回っていない場合（ステップＳ１０４：Ｎｏ）、冷却制御部３１は、圧縮機７の駆動を維持させて（ステップＳ１０６）、手順をリターンして今回の処理を終了する。
【００４８】
一方、冷却制御部３１は、圧縮機７が駆動していない場合（ステップＳ１０１：Ｎｏ）には次のような処理を行う。すなわち、入力処理部３１１を通じて下部サーミスタ２６より検知された下部温度を入力した場合（ステップＳ１０７：Ｙｅｓ）、冷却制御部３１は、比較部３１２を通じて冷却制御用メモリ３１ａから第１基準温度情報を読み出し（ステップＳ１０８）、ステップＳ１０７で入力した下部温度が第１基準温度範囲の上限値を超えているか否かを比較する（ステップＳ１０９）。
【００４９】
下部温度が第１基準温度範囲の上限値を超えている場合（ステップＳ１０９：Ｙｅｓ）、冷却制御部３１は、圧縮機駆動処理部３１３を通じて圧縮機７を駆動させ（ステップＳ１１０）、手順をリターンして今回の処理を終了する。
【００５０】
これによれば、蒸発器６による商品収容庫３の内部空気の冷却量が増大し、商品収容庫３の内部空気の温度が徐々に下降する方向に推移することになる。
【００５１】
下部温度が第１基準温度範囲の上限値を超えていない場合（ステップＳ１０９：Ｎｏ）、冷却制御部３１は、圧縮機７の駆動停止を維持させて（ステップＳ１１１）、手順をリターンして今回の処理を終了する。
【００５２】
図６に示す循環制御において制御ユニット３０の循環制御部３２は、入力処理部３２１を通じて上部サーミスタ２７より検知された上部温度を入力した場合（ステップＳ２０１：Ｙｅｓ）、循環制御部３２は、比較部３２２を通じて循環制御用メモリ３２ａから第２基準温度情報を読み出し（ステップＳ２０２）、ステップＳ２０１で入力した上部温度が第２基準温度範囲の上限値を超えているか否かを比較する（ステップＳ２０３）。
【００５３】
上部温度が第２基準温度範囲の上限値を超えている場合（ステップＳ２０３：Ｙｅｓ）、循環制御部３２は、庫内ファン駆動処理部３２３を通じて庫内ファンＦの回転数を増大させ（ステップＳ２０４）、手順をリターンして今回の処理を終了する。
【００５４】
これによれば、商品収容庫３の内部空気が庫内全体を循環するので、商品収容庫３の下部の冷却された内部空気が徐々に上昇する方向に推移して、商品収容庫３の商品収納ラック２０の上部に収納された商品を適温に冷却することが可能になる。
【００５５】
一方、上部温度が第２基準温度範囲の下限値未満の場合（ステップＳ２０３：Ｎｏ，ステップＳ２０５：Ｙｅｓ）、循環制御部３２は、庫内ファン駆動処理部３２３を通じて庫内ファンＦの回転数を低減させ（ステップＳ２０６）、手順をリターンして今回の処理を終了する。
【００５６】
これによれば、商品収容庫３の内部空気が庫内下部を循環するので、商品収容庫３の商品収納ラック２０の上部に収納された商品が過剰に冷却されることを回避することが可能になり、消費電力が低減される。
【００５７】
上部温度が第２基準温度範囲内にある場合（ステップＳ２０３：Ｎｏ，ステップＳ２０５：Ｎｏ）、循環制御部３２は、庫内ファンＦの回転数を維持して（ステップＳ２０７）、手順をリターンして今回の処理を終了する。
【００５８】
以上説明したように、本発明の実施の形態である自動販売機においては、制御ユニット３０が、下部サーミスタ２６により検知された下部温度が第１基準温度範囲の上限値を超える場合には蒸発器６による冷却量を増大させる一方、下部温度が第１基準温度範囲の下限値未満となる場合には蒸発器６による冷却量を低減させ、かつ上部サーミスタ２７により検知された上部温度が第２基準温度範囲の上限値を超える場合には庫内ファンＦによる内部空気の送風量を増加させて循環量を増大させる一方、上部温度が第２基準温度範囲の下限値未満となる場合には庫内ファンＦによる内部空気の送風量を低減させて循環量を減少させるので、次の販売機会時に払い出される可能性のある商品（最下位の商品）を適温状態に冷却しながら、最上位の商品を品質が低下しない程度に冷却することが可能になる。したがって、商品の冷却を効率的に行うことにより、商品の冷却に伴う消費エネルギーの低減化を図ることができる。
【００５９】
以上、本発明の好適な実施の形態について説明したが、本発明はこれに限定されるものではなく、種々の変更を行うことができる。
【００６０】
例えば、上述した実施の形態では、上部サーミスタ２７は、商品収容庫３の上部に配設してあったが、かかる上部サーミスタ２７は、商品収納通路２１に収納された商品のうち最上位にある商品の近傍の温度を検知できれば良く、かかる最上位にある商品の近傍の温度を検知できる位置であればどこに配設しても構わない。また、最上位にある商品は、販売毎に徐々に下方に移動する傾向にあるため、かかる上部サーミスタ２７も、最上位の商品とともに徐々に下方に移動する態様で配設しても構わない。
【産業上の利用可能性】
【００６１】
以上のように、本発明に係る自動販売機は、例えば紙パック入り飲料等の商品を収納した販売するのに有用である。
【図面の簡単な説明】
【００６２】
【図１】本発明の実施の形態である自動販売機の内部構造を模式的に示す断面側面図である。
【図２】図１に示したスライド手段により商品収納ラックが前方に引き出された状態を示す説明図である。
【図３】図１に示した商品収納ラックを示す斜視図である。
【図４】図１に示した自動販売機の特徴的な制御系を示すブロック図である。
【図５】制御ユニットが実施する冷却制御の処理内容を示すフローチャートである。
【図６】制御ユニットが実施する循環制御の処理内容を示すフローチャートである。
【符号の説明】
【００６３】
１    本体キャビネット
３    商品収容庫
６    蒸発器
７    圧縮機
２０    商品収納ラック
２１    商品収納通路
２２    払出機構
２３    係合孔
２４    商品棚
２４ａ    係止片
２５    収納空間
２６    下部サーミスタ
２７    上部サーミスタ
３０    制御ユニット
３１    冷却制御部
３１１    入力処理部
３１２    比較部
３１３    圧縮機駆動処理部
３２    循環制御部
３２１    入力処理部
３２２    比較部
３２３    庫内ファン駆動処理部
Ｆ    庫内ファン
【図１】
2010020395.tif 000003
【図２】
2010020395.tif 000004
【図３】
2010020395.tif 000005
【図４】
2010020395.tif 000006
【図５】
2010020395.tif 000007
【図６】
2010020395.tif 000008